(57)【要約】【課題】  簡素なユーザインタフェースで動画系列に含まれる画像を個別に印刷することができる印刷システム、方法及びプログラムを提供する。【解決手段】  動画系列を表すデータを入力する入力手段と、前記動画系列に含まれる一部の画像のそれぞれに所定の識別子を割り当てる識別子割当手段と、前記動画系列に含まれる画像を前記識別子で識別可能に表示する表示手段と、前記動画系列に含まれる画像を前記識別子を用いて選択するための選択手段と、前記選択手段によって選択された画像を印刷する印刷手段とを備えることを特徴とする印刷システム。【選択図】    図１
2005080076.tif 000002
【特許請求の範囲】
【請求項１】
動画系列を表すデータを入力する入力手段と、
前記動画系列に含まれる一部の画像のそれぞれに所定の識別子を割り当てる識別子割当手段と、
前記動画系列に含まれる画像を前記識別子で識別可能に表示する表示手段と、
前記動画系列に含まれる画像を前記識別子を用いて選択するための選択手段と、
前記選択手段によって選択された画像を印刷する印刷手段と、
を備えることを特徴とする印刷システム。
【請求項２】
前記動画系列に含まれる連続する画像群に対応する再生期間を設定するための抽出条件設定手段をさらに備え、
前記識別子割当手段は、前記設定された再生期間に応じた画像群から所定の条件で抽出した画像のそれぞれに前記識別子を割り当てることを特徴とする請求項１に記載の印刷システム。
【請求項３】
前記識別子割当手段は、前記設定された再生期間に応じた画像群から等間隔で抽出した画像のそれぞれに前記識別子を割り当てることを特徴とする請求項２に記載の印刷システム。
【請求項４】
前記識別子割当手段は、前記動画系列のシーンの切換に応じて抽出した画像のそれぞれに前記識別子を割り当てることを特徴とする請求項１に記載の印刷システム。
【請求項５】
前記表示手段は、前記識別子が割り当てられた画像の一覧を、各画像に前記識別子を付して印刷表示することを特徴とする請求項１〜４のいずれか一項に記載の印刷システム。
【請求項６】
前記表示手段は、前記識別子が割り当てられた画像を、前記識別子を付して画面表示することを特徴とする請求項１〜４のいずれか一項に記載の印刷システム。
【請求項７】
動画系列を表すデータを入力する入力ステップと、
前記動画系列に含まれる一部の画像のそれぞれに所定の識別子を割り当てる識別子割当ステップと、
前記動画系列に含まれる画像を前記識別子で識別可能に表示する表示ステップと、
前記動画系列に含まれる画像を前記識別子を用いて選択するための選択ステップと、
前記選択手段によって選択された画像を印刷する印刷ステップと、
を含むことを特徴とする印刷方法。
【請求項８】
動画系列を表すデータを入力する入力手段と、
前記動画系列に含まれる一部の画像のそれぞれに所定の識別子を割り当てる識別子割当手段と、
前記動画系列に含まれる画像を前記識別子で識別可能に表示する表示手段と、
前記動画系列に含まれる画像を前記識別子を用いて選択するための選択手段と、
前記選択手段によって選択された画像を印刷する印刷手段としてコンピュータを機能させることを特徴とする印刷プログラム。
【発明の詳細な説明】
【技術分野】
【０００１】
本発明は、印刷システム、方法及び印刷プログラムに関し、特に動画系列の印刷に好適な印刷システム、方法及び印刷プログラムに関する。
【背景技術】
【０００２】
従来、リムーバブルメモリからデータを入力するためのリーダと、リムーバブルメモリに記録された画像を選択するための操作パネルを備えた所謂スタンドアロン型のプリンタが知られている（例えば特許文献１参照）。
また、被写体を表す動画系列をリムーバブルメモリに記録するディジタルビデオカメラや短時間の動画系列を記録可能なディジタルスチルカメラが知られている。
【特許文献１】特開平１１−３２１００９号公報
【発明の開示】
【発明が解決しようとする課題】
【０００３】
ところで、動画系列は多数の静止画（本明細書では静止画を単に画像というものとする。）で構成された画像群であるため、動画系列に含まれる画像を単体で抽出して印刷することが可能である。一般に、動画系列を表すデータには、その動画系列に含まれる全ての画像を個別に識別するための識別子が含まれているため、動画系列に含まれる特定の画像を単体で抽出するためには、その識別子で画像を特定することになる。
しかし、動画系列には１秒間当たり数十コマの画像が含まれるため、動画系列に含まれる特定の画像を選択して単体で処理するためには、数千〜数十万の画像から１つの画像を選択するユーザインタフェースが必要になる。
本発明は、簡素なユーザインタフェースで動画系列に含まれる画像を個別に印刷することができる印刷システム、方法及びプログラムを提供することを目的とする。
【課題を解決するための手段】
【０００４】
上記目的を達成するため、本発明に係る印刷システムは、動画系列を表すデータを入力する入力手段と、前記動画系列に含まれる一部の画像のそれぞれに所定の識別子を割り当てる識別子割当手段と、前記動画系列に含まれる画像を前記識別子で識別可能に表示する表示手段と、前記動画系列に含まれる画像を前記識別子を用いて選択するための選択手段と、前記選択手段によって選択された画像を印刷する印刷手段と、を備えることを特徴とする。動画系列に含まれる各画像に予め付された識別子とは別に、動画系列に含まれる一部の画像のそれぞれに所定の識別子（以後、内部識別子という。）を割り当てることにより、予め付された識別子より少ない内部識別子によって動画系列に含まれる画像を選択する簡素なユーザインタフェースを構成することが可能になる。さらに、内部識別子を割り当てた画像を当該内部識別子で識別可能に表示し、内部識別子を用いて画像を選択可能にすることにより、ユーザは画像群に含まれる所望の画像を内部識別子によって識別し、所望の画像を、内部識別子を用いて選択し個別に印刷することができる。
【０００５】
さらに本発明に係る印刷システムでは、前記動画系列に含まれる連続する画像群に対応する再生期間を設定するための抽出条件設定手段をさらに備え、前記識別子割当手段は、前記設定された再生期間に応じた画像群から所定の条件で絞り込んだ画像のそれぞれに前記識別子を割り当てることを特徴とする。ユーザが最終的に印刷対象の画像を選択する前に、選択対象を絞り込んでおくことにより、画像の選択が容易になり、またユーザインタフェースを簡素化できる。そこで本発明では、動画系列に含まれる特定の画像を、動画系列に含まれる全ての画像から直接１つ選択させるのではなく、再生期間によって選択対象を絞り込み、絞り込まれた選択対象から所定の条件で抽出した画像にのみ内部識別子を割り当て、内部識別子を割り当てた画像群を選択対象としてユーザに表示する。
【０００６】
さらに本発明に係る印刷システムでは、前記識別子割当手段は、前記設定された再生期間に応じた画像群から等間隔で抽出した画像のそれぞれに前記識別子を割り当てることを特徴とする。一般に動画系列は短い時間間隔で記録された被写体を表す画像で構成されているため、連続する画像同士の差は大きくない。すなわち、連続する画像同士であれば、いずれを選択してもそれほど大きな差はない。そこで本発明は、画像群から等間隔で抽出した画像だけをユーザの選択対象とすることにより、ユーザインタフェースを簡素化する。
【０００７】
さらに本発明に係る印刷システムでは、前記識別子割当手段は、前記動画系列のシーンの切換に応じて抽出した画像のそれぞれに前記識別子を割り当てることを特徴とする。一般に動画系列では、画像に表されている対象物がシーンの切換毎に大きく変化する。本発明では、シーンの切換に応じて動画系列から抽出した画像群を選択対象としてユーザに表示するため、選択対象として表示される画像群を多様化することができる。
【０００８】
さらに本発明に係る印刷システムでは、前記表示手段は、前記識別子が割り当てられた画像の一覧を、各画像に前記識別子を付して印刷表示してもよい。選択対象の画像群を印刷して表示することにより、画像を画面表示してユーザに選択させるための高精細なディスプレイが不要になる。
また、本発明に係る印刷システムでは、前記表示手段は、前記識別子が割り当てられた画像を、前記識別子を付して画面表示してもよい。選択対象の画像群を画面に表示することにより、選択対象の画像群を印刷して表示する場合に比べ、ランニングコストを低減し、短時間で印刷対象画像を選択できるようになる。
【０００９】
上記目的を達成するため、動画系列を表すデータを入力する入力ステップと、前記動画系列に含まれる一部の画像のそれぞれに所定の識別子を割り当てる識別子割当ステップと、前記動画系列に含まれる画像を前記識別子で識別可能に表示する表示ステップと、前記動画系列に含まれる画像を前記識別子を用いて選択するための選択ステップと、前記選択手段によって選択された画像を印刷する印刷ステップと、を含むことを特徴とする。
【００１０】
上記目的を達成するため、動画系列を表すデータを入力する入力手段と、前記動画系列に含まれる一部の画像のそれぞれに所定の識別子を割り当てる識別子割当手段と、前記動画系列に含まれる画像を前記識別子で識別可能に表示する表示手段と、前記動画系列に含まれる画像を前記識別子を用いて選択するための選択手段と、前記選択手段によって選択された画像を印刷する印刷手段としてコンピュータを機能させることを特徴とする。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１２】
以下、実施例に基づいて本発明の実施の形態を説明する。
（第一実施例）
図２（Ａ）は、本発明の第一実施例に係る印刷システムとしてのプリンタ１の外観を示す斜視図であり、図２（Ｂ）はプリンタ１のディスプレイ１２及び操作部１４を拡大して示す模式図である。図３は、プリンタ１のハードウェア構成を示すブロック図である。プリンタ１はパーソナルコンピュータ等による制御を必要とせず、ディジタル画像を単独で印刷可能な所謂スタンドアロン型プリンタである。図２（Ａ）に示すようにプリンタ１のハウジング１０には、ディスプレイ１２、操作部１４、カードスロット１６が設けられている。
【００１３】
ディスプレイ１２は、ＬＣＤ（Liquid Crystal Display）などで構成される。表示手段としてのディスプレイ１２は、ディスプレイ制御部４６によって制御され、制御部３０において画像に付された内部識別子の一覧の表示や、ユーザが画像の抽出条件を設定する場合等の各種の設定メニューの表示をおこなう。ディスプレイ１２は、操作部１４とともに、選択手段及び抽出条件設定手段としても機能し、ユーザはディスプレイ１２の表示を参照しながら操作部１４のスイッチを操作して、画像の選択や抽出条件の設定をおこなう。
【００１４】
選択手段としての操作部１４は、上スイッチ１８、下スイッチ２０、決定スイッチ２２及び戻るスイッチ２４を備える。これらのスイッチは呼び出されたメニューを操作して種々の設定や選択をするためのスイッチである。操作部１４は更に印刷開始スイッチ２６及び中止スイッチ２８を備える。印刷開始スイッチ２６はユーザが印刷の開始を指示するためのスイッチであり、中止スイッチ２８は印刷の中止を指示するためのスイッチである。
【００１５】
カードスロット１６は、ハウジング１０の内部に設けられた入力部３２にリムーバブルメモリ３４を脱着自在に接続するための開口部である。リムーバブルメモリ３４は脱着自在の不揮発性記憶媒体であって、具体的には例えば脱着自在のカード型フラッシュメモリである。入力手段としての入力部３２は、リムーバブルメモリ３４を接続可能に構成されている。入力部３２は、制御部３０により制御され、接続されたリムーバブルメモリ３４に記憶されている任意のデータを入力する。図例において、カードスロット１６及び入力部３２は一種しか示されていないが、さまざまな規格のリムーバブルメモリに対応する複数のカードスロット及び入力部を備えていてもよい。入力部３２に入力される動画系列のデータとしては、Ｍｏｔｉｏｎ−ＪＰＥＧ規格によるフレーム内符号化画像の集合として表現されたデータでもよいし、ＭＰＥＧ規格によるフレーム間差分情報とフレーム内で符号化された代表画像の集合として表現されたデータでもよい。
【００１６】
プリンタ１は前述したディスプレイ１２や操作部１４などに加え、制御部３０、ＲＯＭ３６、ワークメモリ３８、画像処理部４０、プリンタエンジン４２、通信部４４、ディスプレイ制御部４６などを備え、それらは制御部３０のインタフェース４８に接続されている。
【００１７】
制御部３０は、ＣＰＵ５０、ＲＡＭ５２及びインタフェース４８を備える。ＣＰＵ５０はＲＯＭ３６に記憶されたプログラムを実行してプリンタ１の全体を制御する。また、制御部３０はＲＯＭ３６に記憶された印刷プログラムを実行することで、入力手段、識別子割当手段、表示手段、選択手段、抽出条件設定手段、及び印刷手段としても機能する。
【００１８】
ＲＡＭ２５及びワークメモリ３８は、各種のプログラムや制御部３０により各画像に割り当てられた内部識別子等のデータを一時的に記憶するメモリである。例えばワークメモリ３８は、入力部３２から入力された静止画像や動画系列等を記憶する。またワークメモリ３８は、制御部３０により選択された印刷対象となる画像を一時的に記憶したり、画像処理部４０がデータを一時的に記憶するためのメモリとしても用いられる。
【００１９】
ＲＯＭ３６はオペレーティングシステム（ＯＳ）、印刷プログラム、その他各種のプログラムやデータを予め記憶しているメモリである。これらのプログラムや各種のデータは、所定のサーバからネットワークを介してダウンロードして入力してもよいし、リムーバブルメモリ等のコンピュータ読み取り可能な記憶媒体から読み出して入力してもよい。
通信部４４は、モデムやネットワークインタフェースカードなどで構成されている。通信部４４は、電話回線やＬＡＮなどの有線または無線の通信ネットワークを介して所定のサーバに接続することができ、サーバに格納されている動画系列等の画像データを受信することができる。
【００２０】
画像処理部４０は、ワークメモリ３８に格納された印刷対象となる画像に対する各種の画像処理を制御部３０と協働して実行するＡＳＩＣである。各種の画像処理とは、具体的には例えば、Ｍｏｔｉｏｎ−ＪＰＥＧ規格やＭＰＥＧ規格で圧縮された画像の伸張、伸張された画像の色空間の変換、ガンマ補正、カラーバランス調整、シャープネス調整、コントラスト調整、画像の解像度を印刷解像度に変換する解像度変換、ディジタル画像を２値化する２値化処理、２値化されたディジタル画像をプリンタエンジン４２に転送すべき順序に並べ替えて印刷データを生成するインターレス処理などである。尚、それらの画像処理を制御部３０と画像処理部４０とのいずれで行うかは適宜選択し得る設計事項である。
【００２１】
プリンタエンジン４２は、画像処理部４０で生成された印刷データに基づいて印刷を実行する。プリンタエンジン４２は印字ヘッドを搭載するキャリッジ、キャリッジを往復移動させる駆動機構、印刷用紙を搬送する搬送機構などで構成され、それらは制御部３０によって制御される。キャリッジには印字ヘッドの他に印字ヘッドが吐出するインクを蓄える複数のインクタンクが搭載されている。尚、プリンタエンジン４２は例えばレーザ方式で印刷するものであってもよい。特許請求の範囲に記載の印刷手段は、印刷を制御する制御部３０、画像処理部４０及びプリンタエンジン４２に相当する。
【００２２】
表示手段としてのディスプレイ制御部４６は、ＶＲＡＭ、駆動回路等を備える。ディスプレイ制御部４６は制御部３０によって制御され、制御部３０において画像に付された内部識別子の一覧の表示や、内部識別子が割り当てられた画像とその内部識別子の表示、または、ユーザが画像の抽出条件を設定する場合等の各種の設定メニューをディスプレイ１２に表示させる。
【００２３】
図４は、プリンタ１の制御部３０により実行される印刷プログラムのフローチャートである。はじめにプリンタ１は、リムーバブルメモリ３４内の画像ファイルに第一の内部識別子を割り当て（ステップＳ１００）、各画像ファイルに割り当てた第一の内部識別子の一覧をディスプレイ１２に表示する（ステップＳ１０２）。次に、ユーザが第一の内部識別子の一覧が表示されたディスプレイ１２を参照しながら操作部１４の上スイッチ１８、下スイッチ２０、及び決定スイッチ２２を操作して画像ファイルを選択すると、プリンタ１は、リムーバブルメモリ３４に記録されている画像ファイルのうちユーザにより選択された画像ファイルを入力部３２から入力し、ワークメモリ３８に記憶する（ステップＳ１０３）。さらにプリンタ１は、選択された画像ファイルが動画系列ファイルか静止画ファイルかを判定する（ステップＳ１０４）。選択された画像ファイルが動画系列ファイルの場合は、後述する動画系列ファイルの印刷処理（ステップＳ１０６）を実行し、静止画ファイルの場合は静止画ファイルの印刷処理（ステップＳ１０８）を実行する。静止画ファイルの印刷処理では、ステップＳ１０３において選択された静止画ファイルに格納された主画像データを印刷する。
【００２４】
図１は、本発明の第一実施例による動画系列ファイルの印刷処理の概略を示す模式図である。動画系列ファイルの印刷処理において、プリンタ１は、ユーザにより選択された画像ファイル５０の画像群から、「スタートタイム」及び「エンドタイム」により特定される再生期間に対応する第一の画像群を特定する。次に、第一の画像群から等間隔で第二の画像群を特定し、各画像に第二の内部識別子を付与し、第二の画像群の各画像と各画像に対応する第二の内部識別子との対をインデックスプリント５２に印刷する。さらに、ユーザがインデックスプリント５２を参照しながら画像を選択すると、プリンタ１は選択された画像を印刷する。以下、詳細をフローチャートについて説明する。
【００２５】
図５は、本発明の第一実施例による動画系列ファイルの印刷処理のフローチャートである。はじめにプリンタ１は、ディスプレイ１２に再生期間を特定する「スタートタイム」と「エンドタイム」を設定するためのダイアログウィンドウを画面表示する（ステップＳ１１０）。
図６は、「スタートタイム」と「エンドタイム」を設定するためのダイアログウィンドウ５４であり、図６（Ａ）は「スタートタイム」設定時、図６（Ｂ）は「エンドタイム」設定時の画面表示である。ダイアログウィンドウ５４がディスプレイ１２に表示されているとき、ユーザが、上スイッチ１８、下スイッチ２０により「スタートタイム」または「エンドタイム」を選択し、決定スイッチ２２の押下により決定後、上スイッチ１８、下スイッチ２０によりそれぞれの数値を増減させ、決定スイッチ２２を押下すると、「スタートタイム」または「エンドタイム」が設定される。プリンタ１は、ユーザにより設定された「スタートタイム」から「エンドタイム」に対応する第一の画像群を、ワークメモリ３８に記憶されている選択された動画系列ファイルの中で特定し、第一の画像群から等間隔でインデックスプリントで印刷する画像の数の画像を第二の画像群として特定する（ステップＳ１１２）。ここで、インデックスプリントで印刷する画像の数は、あらかじめＲＯＭ３６に記憶しておいてもよいし、ユーザが設定することにしてもよい。また、第二の画像群として特定される画像だけをワークメモリ３８に入力するようにしてもよい。次に、プリンタ１は、第二の画像群に含まれる各画像に請求項に記載された識別子に相当する第二の内部識別子を割り当て（ステップＳ１１４）、第二の画像群に含まれる各画像と割り当てられた第二の内部識別子の一覧であるインデックスプリント５２を印刷する（ステップＳ１１６）。
【００２６】
ステップＳ１１２からステップＳ１１６までの処理を、図１を参照して具体的に説明する。動画系列ファイル５０の各画像にはあらかじめ時系列順にフレーム番号が付されている。「スタートタイム」および「エンドタイム」の設定により特定された第一の画像群は、フレーム番号“９８００”から“９８６０”までの６１画像であり、インデックスプリントする画像は２０画像である。したがって、第一の画像群の画像の数とインデックスプリントする画像の数の商である３画像ごとの等間隔で特定された画像が第二の画像群となる。第二の画像群には、“００１”から“０２０”までの第二の内部識別子が割り当てられる。インデックスプリント５２には第二の画像群に含まれる画像と各画像に対応する第二の内部識別子の対が印刷される。インデックスプリント５２を印刷する制御部３０、ワークメモリ３８、画像処理部４０及びプリンタエンジン４２は、動画系列ファイルに含まれる画像を識別子で識別可能に表示する表示手段として機能する。
【００２７】
次に、プリンタ１は、各画像に割り当てられた第二の内部識別子で、選択された動画系列ファイルに含まれる画像を選択するためのメニューを画面表示する（ステップＳ１１８）。
図７は、動画系列ファイルに含まれる画像を選択するためのメニュー画面の一例を示す模式図である。選択手段としてのメニュー画面５６には第二の内部識別子の一覧をスクロール表示する。メニュー画面５６に表示されている第二の内部識別子は、上スイッチ１８、下スイッチ２０の操作に応じて移動するカーソル５８によって選択される。また、画面の最上部または最下部にカーソル５８があるとき、さらに上スイッチ１８、下スイッチ２０が押下されると画面がスクロールし、直前に画面外にあった第二の内部識別子の選択が可能になる。いずれかの第二の内部識別子の上にカーソル５８があるとき決定スイッチ２２が押下されてその内部識別子が選択されると、選択された内部識別子に対して選択マーク６０が表示される。具体的に図例では、“００３”と“００８”が選択されている。ユーザは、ステップＳ１１６において印刷されたインデックスプリント５２を参照しながら、上スイッチ１８、下スイッチ２０、及び決定スイッチ２２を操作して、第二の内部識別子を選択することにより、所望の画像を選択することができる。次に、プリンタ１は、ステップＳ１１８において第二の内部識別子を用いて選択された画像を印刷する（ステップＳ１２０）。
【００２８】
なお、本実施例の動画系列ファイルの印刷処理のステップＳ１１８において、選択された動画系列ファイルに含まれる画像を、各画像に割り当てられた第二の内部識別子で選択するとき、メニュー画面５６において、上スイッチ１８、下スイッチ２０、及び決定スイッチ２２を用いて選択したが、操作部１４にテンキーを備えて第二の内部識別子の番号を直接入力してもよい。
【００２９】
また、印刷プログラムのステップＳ１１２において、再生期間により特定された第一の画像群から「等間隔」で第二の画像群を特定するとしたが、発生させた乱数を用いて第一の画像群から無作為に第二の画像群を特定してもよいし、ＭＰＥＧ規格で圧縮された動画系列ファイルにおいて、ＧＯＰ（Group of Picture）のＩフレーム（Intra Picture）の画像のみを第二の画像群として特定してもよい。
【００３０】
さらに、本実施例において、印刷システムとしてスタンドアロン型プリンタについて説明したが、印刷ユーティリティプログラムを実行するパーソナルコンピュータとプリンタで構成されるシステム、または、撮影機能つき携帯電話等の携帯型情報端末とキオスク端末とを通信ネットワークで接続したシステムで本発明の印刷システムを構成してもよい。
【００３１】
以上のように、本発明の第一実施例の印刷システムによれば、動画系列に含まれる各画像に予め付されたフレーム番号とは別に、再生期間や等間隔等の所定の条件により特定された一部の画像に対して第二の内部識別子を割り当てることにより、フレーム番号よりも遥かに少ない数の第二の内部識別子で動画系列に含まれる画像を選択することができるため、画像選択時のユーザインターフェースは上スイッチ、下スイッチ等で簡素に構成することができる。
【００３２】
（第二実施例）
本発明の印刷システムの第二実施例として、プリンタ１に高解像度のＬＣＤを備えたモニタを付加し、印刷プログラムにおける第一の画像群の特定を、動画系列ファイルのシーンの切り替えにより行う印刷システムについて説明する。第一実施例と実質的に同一の部分については同一の符号を用いて説明を省略する。
【００３３】
図８は、本発明の第二実施例に係る印刷システムとしてのプリンタ１の外観を示す斜視図であり、図９は、本発明の第二実施例の動画系列ファイルの印刷処理のフローチャートであり、図１０は、プリンタ１に付加されたモニタ７０を示す模式図である。
はじめにプリンタ１は、制御部３０において実行される動画系列ファイルの印刷処理において、選択された動画系列ファイルをシーンごとに分割し、各シーンを代表する画像をモニタ７０に表示する（ステップＳ１３０）。モニタ７０には、ユーザが上スイッチ１８、下スイッチ２０を押下することにより、各シーンを代表する画像が時系列順に表示され、ユーザが決定スイッチ２２を押下することにより、代表画像を含むシーンが選択される。シーンの切り換わりの判定は、連続するフレーム間の画像の差分を分析したり、撮影時に「停止」「一時停止」ボタンの押下時等をフレームの属性として記憶しておくことにより実現できる。また、シーンを代表する画像は、分割されたシーン内の第一番目の画像や、シーンのちょうど真ん中の画像等シーンの中身が判別できる画像とする。
【００３４】
次に、プリンタ１は、ワークメモリ３８に記憶されている選択された動画系列ファイルの画像から、選択されたシーンに対応する画像群を第一の画像群とし、第一の画像群から等間隔で第二の画像群を特定し、（ステップＳ１３２）、第二の画像群に含まれる各画像に第二の内部識別子を割り当てる（ステップＳ１１４）。
【００３５】
次に、プリンタ１は、第二の画像群に含まれる各画像と当該画像に割り当てられた第二の内部識別子を図１０に示すようにモニタ７０に表示する。選択手段としてのモニタ７０には、ユーザが上スイッチ１８、下スイッチ２０を押下することにより、第二の内部識別子が割り当てられた画像が順次表示され、決定スイッチ２２の押下により画像が選択される（ステップＳ１３６）。このとき、画面の背景色を変えたり選択済みを示すアイコンを表示したりして選択されたことを示してもよい。次に、プリンタ１は、ステップＳ１３６において第二の内部識別子を用いて選択された画像を印刷する（ステップＳ１２０）。
【００３６】
以上のように本発明の第二実施例の印刷システムによれば、動画系列に含まれる画像をシーンごとに分割し、各シーンを代表する画像を表示して選択対象となる画像群を表示することにより、選択対象として表示される画像群を多様化することができる。また、高解像度のディスプレイを備えるモニタを付加することにより、第二の内部識別子とともに画像を画面表示することができるため、インデックスプリントを印刷する場合に比べ、ランニングコストを低減することができ、短時間で印刷対象となる画像を選択することができる。
【図面の簡単な説明】
【００３７】
【図１】本発明の実施例に係る画像処理の概要を示す模式図。
【図２】（Ａ）は本発明の第一実施例に係るプリンタの外観を示す斜視図。（Ｂ）は本発明の第一実施例に係るディスプレイと操作部示す模式図。
【図３】本発明の実施例に係る画像処理装置のブロック図。
【図４】本発明の実施例に係る印刷処理を示すフローチャート。
【図５】本発明の第一実施例に係る印刷処理を示すフローチャート。
【図６】本発明の第一実施例に係るメニュー画面を示す模式図。
【図７】本発明の第一実施例に係るメニュー画面を示す模式図。
【図８】本発明の第二実施例に係るプリンタの外観を示す斜視図。
【図９】本発明の第二実施例に係る印刷処理を示すフローチャート。
【図１０】本発明の第二実施例に係るモニタ画面を示す模式図。
【符号の説明】
【００３８】
１  プリンタ（印刷システム）、１２  ディスプレイ（表示手段、選択手段、抽出条件設定手段）、１４  操作部（選択手段、抽出条件設定手段）、３０  制御部（入力手段、識別子割当手段、表示手段、選択手段、印刷手段、抽出条件設定手段）、３２  入力部（入力手段）、４０  画像処理部（印刷手段）、４２  プリンタエンジン（印刷手段）、
【図１】
2005080076.tif 000003
【図２】
2005080076.tif 000004
【図３】
2005080076.tif 000005
【図４】
2005080076.tif 000006
【図５】
2005080076.tif 000007
【図６】
2005080076.tif 000008
【図７】
2005080076.tif 000009
【図８】
2005080076.tif 000010
【図９】
2005080076.tif 000011
【図１０】
2005080076.tif 000012